(57)【特許請求の範囲】
【請求項１】
鍵レバーの後端部を覆う天板を設けた大正琴において、
弦に直交して指板の上方に上下方向に回動自在に配置されたミュート鍵レバーと、このミュート鍵レバーに設けられ開放弦を押圧するミュート本体と、このミュート本体を開放弦に押し付ける方向の回動習性を前記ミュート鍵レバーに付与する付勢ばねを備え、
前記天板の前記ミュート鍵レバーと対応する位置に貫通孔を形成してナットを埋め込み、このナットに前記貫通孔を貫通する調整ねじを螺合してその先端を前記ミュート鍵レバーに当接することにより、前記ミュート本体を開放弦に対して選択的に接触、離間させるミュート切替手段としたことを特徴とする大正琴。
【請求項２】
開放弦を押圧するミュート機構を備えた大正琴において、
前記ミュート機構は、回動自在なミュート鍵レバーと、このミュート鍵レバーに設けられ弦を押圧するミュート本体からなり、
前記ミュート本体は前記ミュート鍵レバーの後端部に回動自在に軸支されていることを特徴とする大正琴。
【発明の詳細な説明】
【０００１】
【発明の属する技術分野】
本発明は、指運時に開放弦の音がスラーとなって発音されないようにし、音色、演奏性を向上させるようにした大正琴に関する。
【０００２】
【従来の技術】
大正琴は、図５に示すように上面に複数本の弦１が張設された共鳴胴本体２と、共鳴胴本体２上に指板３を介して設けられたフレット４間に位置して共鳴胴本体２の上方に配置された複数の鍵レバー５とを備えている。演奏時に鍵レバー５を押し下げ、これによって隣合うフレット４間の弦部分を押え込み、当該鍵レバー５の右側に位置するフレット４と下駒６間の共鳴孔７に臨む弦部分をピック（義甲）によって弾弦すると、その弦振動は共鳴胴本体２により拡大され所望の音として発音される。なお、押鍵操作された鍵レバー５から指を離すと、当該鍵レバー５は図示しない復帰用ばねの力により初期位置に回動復帰し弦１を解放する。なお、８は上駒、９は糸巻装置、１０は天板である。
【０００３】
このような大正琴においては、演奏中にある任意の鍵レバー５を押鍵操作して弦１をピックにより弾き所望の音程の音を発音させた後、別の鍵レバー５を押鍵操作するために押鍵操作している鍵レバー５から指を離すと、弦１は鍵レバー５から解放されるため開放弦となる。しかし、振動自体は持続しているので開放弦の音（スラー）が出てしまう。一般には、開放弦はＧ音に調律されているため、押鍵操作した鍵レバーから指を離し次の鍵レバーを押鍵操作するまでの間Ｇ音がスラーとなって発音され、これが余分な音となる。曲調によってはこれが耳障りになるが、実際にはこのようなスラーが雑音として演奏音に混入したまま演奏しているのが実情である。
【０００４】
これを解決するためには弾弦する側の手（右手）の腹などで弦をミュート（半鳴りの状態）しながら演奏しスラーが出ないようにすればよいわけであるが、このような操作は演奏技術上鍵レバーを連続的に、しかも速い速度で押鍵操作する場合、高度な熟練を要し、初心者には不向きである。
【０００５】
【発明が解決しようとする課題】
上記したように従来の大正琴においては、押鍵操作した鍵レバーから指を離し他の鍵レバーに移行するまでの間、Ｇ音がスラーとなって発音されるという問題があった。
【０００６】
本発明は上記した従来の問題点を解決するためになされたもので、その目的とするところは、開放弦の音が雑音として混入せず、音色、演奏性を向上させるようにした大正琴を提供することにある。
また、本発明はミュートしない従前の通常演奏とミュート状態にした演奏（以下、ミュート演奏という）を選択的に切り替えることができるようにした大正琴を提供することにある。
【０００７】
【課題を解決するための手段】
上記目的を達成するため本発明は、鍵レバーの後端部を覆う天板を設けた大正琴において、弦に直交して指板の上方に上下方向に回動自在に配置されたミュート鍵レバーと、このミュート鍵レバーに設けられ開放弦を押圧するミュート本体と、このミュート本体を開放弦に押し付ける方向の回動習性を前記ミュート鍵レバーに付与する付勢ばねを備え、前記天板の前記ミュート鍵レバーと対応する位置に貫通孔を形成してナットを埋め込み、このナットに前記貫通孔を貫通する調整ねじを螺合してその先端を前記ミュート鍵レバーに当接することにより、前記ミュート本体を開放弦に対して選択的に接触、離間させるミュート切替手段としたことを特徴とする。
また、本発明は、開放弦を押圧するミュート機構を備えた大正琴において、前記ミュート機構は、回動自在なミュート鍵レバーと、このミュート鍵レバーに設けられ弦を押圧するミュート本体からなり、前記ミュート本体は前記ミュート鍵レバーの後端部に回動自在に軸支されていることを特徴とする。
【０００８】
本発明において、ミュート本体は開放弦を押圧するので、押鍵操作した鍵レバーから指を離してもＧ音がスラーとなって発音されることがない。
ミュート切替手段はミュート本体を開放弦に対して選択的に接触、離間させることにより、通常演奏とミュート演奏を切り替える。
また、ミュート演奏時のミュート本体の弦に対する接触圧を自由に調整するこができる。
さらに、ミュート本体をミュート鍵レバーの後端部に回動自在に設けているので、全ての弦を確実に押させることができる。
【０００９】
【発明の実施の形態】
以下、本発明を図面に示す実施の形態に基づいて詳細に説明する。
図１は本発明に係る大正琴の一部構成部材を省略するとともに一部を破断して示す概略平面図、図２は図１のII−II線拡大断面図である。なお、従来技術の欄で示した構成部材等と同一のものについては同一の符号をもって示し、その説明を適宜省略する。これらの図において、大正琴２０は、左右方向に長い箱型の共鳴胴本体２と、共鳴胴本体２の上面に張設された複数本の弦１と、弦１を押え音程を決める複数の鍵レバー５と、鍵レバー５の後端部を覆うとともに譜面台として用いられる天板１０等を備えている。また、共鳴胴本体２の上面には弦１の両端部を係止する下駒６、上駒８、複数のフレット４を有する指板３、弦１の一端部が巻付けられる糸巻装置９（図５参照）等を備えている。このような大正琴２０は、図４に示した従来の大正琴と全く同様であるが、本発明においてはさらに開放弦を押圧するミュート機構２１とその切替手段３０を備えている点で従来の大正琴と異なっている。また、このため天板１０の上駒８側端部には前方に延在し上駒８と第１フレット４-1間の弦部分の上方を覆う延長部１０Ａが一体に延設されており、この延長部１０Ａの下方に前記ミュート機構２１が配置されている。
【００１０】
前記ミュート機構２１は、第１フレット４-1と上駒８間に位置する鍵レバー５-1に隣接してその上駒側面に配置されるミュート鍵レバー２２と、ミュート鍵レバー２２に設けられ全ての弦１を押圧するミュート本体２３を備えている。ミュート鍵レバー２２は鍵レバー５と同様にステンレス等の金属板の打ち抜き加工等によって製作され、指板３の上方に弦１の張設方向と直交するように配設される。ミュート鍵レバー２２の前端部には合成樹脂等によって形成されたミュート釦２２ａが一体的に設けられ、図２に示すように長手方向中間部において軸２４により上下方向に回動自在に軸支されている。このため、ミュート鍵レバー２２の前記軸２４によって軸支される部分には横長のＵ字状溝からなる軸受部２５が形成されている。このような軸受部２５は、ミュート鍵レバー２２の前半部の高さと後半部の高さを変えて長手方向中間部上面側に段差部２６を設け、その段差面２６ａに形成することにより簡単に形成することができる。ただし、軸受部２５の形成箇所としては、ミュート鍵レバー２２の長手方向中間部に限らず、後端側に設けられるものであってもよい。前記軸２４は、天板１０の延長部１０Ａの下面に固定された保持部材２７によって両端部が保持されている。また、ミュート鍵レバー２２の後端部下面には前記ミュート本体２３が接着剤等によって全ての弦１に対応するように固着されている。ミュート本体２３の材質としては、フェルト、ゴム、ウレタン等の軟質部材が用いられる。そして、このようなミュート鍵レバー２２は、天板１０の前記延長部１０Ａの下面とミュート鍵レバー２２の後端部間に弾装された復帰用ばね２９によって前記軸２４を回動中心として図２時計方向の回動習性が付与され、前記ミュート本体２３がミュート切替手段３０によって弦１に対して選択的に接触、離間されるように構成されている。
【００１１】
前記ミュート切替手段３０は、前記天板１０の延長部１０Ａにミュート鍵レバー２２に対応して形成された貫通孔３１内に埋め込まれたナット３２と、このナット３２に螺合され上下端が前記貫通孔３１から前記延長部１０Ａの上方および下方に突出する調整ねじ３３とで構成されている。調整ねじ３３の上端には摘み３４が一体的に設けられ、下端が前記ミュート鍵レバー２２の前記軸２４より前方側上面に当接している。したがって、摘み３４を回転させて調整ねじ３３を上下動させると、通常演奏とミュート演奏を選択的に切り替えることができる。すなわち、調整ねじ３３を上方へ移動させた場合は、復帰用ばね２９の力によってミュート鍵レバー２２が図２において時計方向に回動してミュート本体２３を弦１に押し付けるためミュート演奏となる。また、この時のミュート本体２３の弦１に対する接触圧は、調整ねじ３３によって自由に加減することができる。反対に調整ねじ３３を下方へ移動させミュート鍵レバー２２を復帰用ばね２９に抗して図２に二点鎖線で示すように反時計方向に回動させると、ミュート本体２３が弦１から離間するためミュートしない従前の通常演奏となる。
なお、３５はミュート鍵レバー２２の反時計方向の回動を規制するストッパ、３６は天板１０を共鳴胴本体２の上方に取り付けるための取付部材である。
【００１２】
このような大正琴２０は、通常ミュート本体２３を弦１の第１フレット４-1と上駒８間の弦部分に押し付けた状態で使用される。したがって、この状態では開放弦が全く存在せず、上記したような従来の問題、すなわち演奏中にある任意の鍵レバーを押鍵操作して弦を弾き所望の音程の音を発音させた後、別の鍵レバーを押鍵操作するために押鍵操作している鍵レバーから指を離したとき、弦が鍵レバーから解放されて開放弦となり、Ｇ音がスラーとなって発音されるという問題を解決することができる。この結果、Ｇ音が雑音となって演奏音に混入せず、音色を改善することができる。
【００１３】
また、本発明においてはミュート切替手段３０によってミュート本体２３を弦１に対して選択的に接触、離間させることができるので、ミュート演奏からミュートしない従前の通常演奏もしくは通常演奏からミュート演奏に切り替えて使用することができる。また、ミュート演奏時のミュート本体２３の弦１に対する接触圧を自由に調整することもできる。
【００１４】
図３および図４は本発明の他の実施の形態を示す要部の側面図および図３のＩＶ−ＩＶ線断面図である。この実施の形態においては、ミュート鍵レバー２２の後端側にブロック４０を軸４１を介して前後方向に回動自在に取付け、このブロック４０の下面にミュート本体２３を固着している。なお、４２は軸４１を回動自在に軸承するための貫通孔である。この場合、フッソ樹脂、金属などからなる筒状のベアリングを貫通孔４２に嵌挿してもよい。
このような構成においては、ミュート鍵レバー２２の取付状態が水平でなくても、ミュート本体２３が弦１に接触すると水平状態になるので、全ての弦１を確実に押えることができる利点を有する。
【００１５】
なお、上記した実施の形態においては、ミュート機構２１として、回動自在なミュート鍵レバー２２とミュート本体２３とで構成した例を示したが、本発明はこれに何等特定されるものではなく、要は開放弦を押圧してＧ音がスラーとなって発音されないように構成したものであれば何でもよい。たとえば、上記したミュート鍵レバー２２の代わりに調整ねじ３３を弦１に対応して天板１０に上下動自在に設け、この調整ねじ３３の下端にミュート本体２３を回転自在に設け、調整ねじ３３の上下動によってミュート本体２３を弦１に対して選択的に接触、離間させるようにしたミュート機構であってもよい。このようなミュート機構を用いれば、ミュート機構自体がミュート切替手段を兼用するとともに復帰用ばねが不要で、機構を簡素化することができる。
また、上記実施の形態においては復帰用ばね２９として圧縮コイルばねを用いたが、引張りコイルばねや板ばねを用いてもよい。
【００１６】
【発明の効果】
以上説明したように本発明に係る大正琴は、開放弦を押圧するミュート機構を設けたので、開放弦が存在せず、したがって、演奏中にある任意の鍵レバーを押鍵操作して弦を弾き所望の音程の音を発音させた後、別の鍵レバーを押鍵操作するために押鍵操作している鍵レバーから指を離したとき、弦を鍵レバーから解放してもＧ音がスラーとなって発音されることがなく、音色を向上させることができる。また、ミュート本体を弦に常時押し付けておけばよいので、弾弦する側の手のはらなどで弦をミュートしながら演奏したりする必要がなく、初心者でも容易に演奏することができる。
【００１７】
また、本発明はミュート本体を開放弦に対して選択的に接触、離間させるミュート切替手段を備えているので、ミュートしない従前の通常演奏とミュート状態にした演奏を選択的に切り替えることができ、しかもミュート演奏時のミュート本体の弦に対する接触圧を自由に調整することもできる。
また、ミュート本体をミュート鍵レバーの後端部に回動自在に設けているので、全ての弦を確実に押させることができる。
さらに、ミュート機構自体の構成も比較的簡単で、容易に製作することができる。
【図面の簡単な説明】
【図１】本発明に係る大正琴の一部構成部材を省略するとともに一部を破断して示す概略平面図である。
【図２】図１のII−II線拡大断面図である。
【図３】本発明の他の実施の形態を示す要部の側面図である。
【図４】図３のＩＶ−ＩＶ線断面図である。
【図５】従来の大正琴の外観斜視図である。
【符号の説明】
１…弦、２…共鳴胴本体、３…指板、４…フレット、５…鍵レバー、６…下駒、８…上駒、９…糸巻装置、１０…天板、２０…大正琴、２１…ミュート機構、２２…ミュート鍵レバー、２３…ミュート本体、２４…軸、２９…復帰用ばね、３０…ミュート切替手段、３３…調整ねじ。
【図１】
0003543519.tif 000002
【図５】
0003543519.tif 000003
【図２】
0003543519.tif 000004
【図３】
0003543519.tif 000005
【図４】
0003543519.tif 000006